(57)【要約】【課題】  写真の撮影から送付に係る色調採得の手順の煩雑さを解消し、正しい色味を有する歯科用補綴物の製作が可能となる環境を支援する色調採得支援装置の提供。【解決手段】  歯科用補綴物の製作を依頼する際の色調採得を支援する色調採得支援装置であって、依頼先の歯科技工所を特定する特定情報を含む依頼情報を入力画面を介して入力する表示入力部と、表示入力部を介して入力された依頼情報を記憶する記憶部と、患者の口腔内を歯の色見本と共に撮影する撮影部と、公衆回線を介して外部端末装置と通信を行う通信部と、記憶部から読み出した依頼情報に撮影部により撮影された患者の口腔内写真を添付し、特定された歯科技工所に対して通信部を介して送信させる演算部とを備えた色調採得支援装置。【選択図】  図２
2020025612.tif 000002
【特許請求の範囲】
【請求項１】
歯科用補綴物の製作を依頼する際の色調採得を支援する色調採得支援装置であって、
依頼先の歯科技工所を特定する特定情報を含む依頼情報を入力画面を介して入力する表示入力部と、
前記表示入力部を介して入力された前記依頼情報を記憶する記憶部と、
患者の口腔内を歯の色見本と共に撮影する撮影部と、
公衆回線を介して外部端末装置と通信を行う通信部と、
前記記憶部から読み出した前記依頼情報に前記撮影部により撮影された前記患者の口腔内写真を添付し、特定された前記歯科技工所に対して前記通信部を介して送信させる演算部とを備えること
を特徴とする色調採得支援装置。
【請求項２】
前記撮影部は、前記患者の口腔内の撮影に際し、前記色見本の外形を模ったガイドラインを撮影画面に合成すること
を特徴とする請求項１に記載の色調採得支援装置。
【請求項３】
前記撮影部は、前記患者の顔貌を撮影すること
を特徴とする請求項１又は請求項２に記載の色調採得支援装置。
【請求項４】
前記撮影部は、前記患者の顔貌の撮影に際し、前記患者の顔貌の外形を模ったガイドラインを撮影画面に合成すること
を特徴とする請求項３に記載の色調採得支援装置。
【請求項５】
前記演算部は、前記患者の顔貌写真を前記依頼情報に添付して送信させること
を特徴とする請求項３又は請求項４に記載の色調採得支援装置。
【請求項６】
前記演算部は、電子メールに前記依頼情報の内容を書き込み送信させること
を特徴とする請求項１乃至請求項５の何れか１項に記載の色調採得支援装置。
【請求項７】
前記入力画面には、バナー広告が含まれること
を特徴とする請求項１乃至請求項６の何れかに記載の色調採得支援装置。
【請求項８】
歯科用補綴物の製作を依頼する際の色調採得を支援する色調採得支援プログラムであって、コンピュータを
依頼先の歯科技工所を特定する特定情報を含む依頼情報を入力画面を介して入力する表示入力部と、
前記表示入力部を介して入力された前記依頼情報を記憶する記憶部と、
患者の口腔内を歯の色見本と共に撮影する撮影部と、
公衆回線を介して外部端末装置と通信を行う通信部と、
前記記憶部から読み出した前記依頼情報に前記撮影部により撮影された前記患者の口腔内写真を添付し、特定された前記歯科技工所に対して前記通信部を介して送信させる演算部として機能させること
を特徴とする色調採得支援プログラム。
【請求項９】
前記撮影部は、前記患者の口腔内の撮影に際し、前記色見本の外形を模ったガイドラインを撮影画面に合成すること
を特徴とする請求項８に記載の色調採得支援プログラム。
【請求項１０】
前記撮影部は、前記患者の顔貌を撮影すること
を特徴とする請求項８又は請求項９に記載の色調採得支援プログラム。
【請求項１１】
前記撮影部は、前記患者の顔貌の撮影に際し、前記患者の顔貌の外形を模ったガイドラインを撮影画面に合成すること
を特徴とする請求項１０に記載の色調採得支援プログラム。
【請求項１２】
前記演算部は、前記患者の顔貌写真を前記依頼情報に添付して送信させること
を特徴とする請求項１０又は請求項１１に記載の色調採得支援プログラム。
【請求項１３】
前記演算部は、電子メールに前記依頼情報の内容を書き込み送信させること
を特徴とする請求項８乃至請求項１２の何れか１項に記載の色調採得支援プログラム。
【請求項１４】
前記入力画面には、バナー広告が含まれること
を特徴とする請求項８乃至請求項１３の何れかに記載の色調採得支援プログラム。
【請求項１５】
歯科用補綴物の製作を依頼する際の色調採得を支援する色調採得支援方法であって、
依頼先の歯科技工所を特定する特定情報を含む依頼情報を入力画面を介して入力する表示入力手順と、
前記表示入力手順において入力された前記依頼情報を記憶する記憶手順と、
患者の口腔内を歯の色見本と共に撮影する撮影手順と、
公衆回線を介して外部端末装置と通信を行う通信手順と、
記憶元から読み出した前記依頼情報に前記撮影手順において撮影された前記患者の口腔内写真を添付し、特定された前記歯科技工所に対して前記通信手順において送信させる演算手順とを備えること
を特徴とする色調採得支援方法。
【請求項１６】
前記撮影手順では、前記患者の口腔内の撮影に際し、前記色見本の外形を模ったガイドラインを撮影画面に合成すること
を特徴とする請求項１５に記載の色調採得支援方法。
【請求項１７】
前記撮影手順では、前記患者の顔貌を撮影すること
を特徴とする請求項１４又は請求項１５に記載の色調採得支援方法。
【請求項１８】
前記撮影手順では、前記患者の顔貌の撮影に際し、前記患者の顔貌の外形を模ったガイドラインを撮影画面に合成すること
を特徴とする請求項１７に記載の色調採得支援方法。
【請求項１９】
前記演算手順では、前記患者の顔貌写真を前記依頼情報に添付して送信させること
を特徴とする請求項１７又は請求項１８に記載の色調採得支援方法。
【請求項２０】
前記演算手順では、電子メールに前記依頼情報の内容を書き込み送信させること
を特徴とする請求項１５乃至請求項１９の何れか１項に記載の色調採得支援方法。
【請求項２１】
前記入力画面には、バナー広告が含まれること
を特徴とする請求項１５乃至請求項２０の何れかに記載の色調採得支援方法。
【請求項２２】
歯科用補綴物の製作を依頼する際の色調採得を支援する色調採得支援システムであって、
依頼先の歯科技工所を特定する特定情報を含む依頼情報を入力画面を介して入力する表示入力部と、
前記表示入力部を介して入力された前記依頼情報を記憶する記憶部と、
患者の口腔内を歯の色見本と共に撮影する撮影部と、
公衆回線を介して外部端末装置と通信を行う通信部と、
前記記憶部から読み出した前記依頼情報に前記撮影部により撮影された前記患者の口腔内写真を添付し、前記通信手段を介して送信させる第１演算部と、
前記通信部を介して送信された前記依頼情報を取得するとともに、取得した前記依頼情報を管理するための識別番号を付する識別番号付与部と、
前記識別番号が付与された識別番号付依頼情報を特定された前記歯科技工所に対して送信させる第２演算部とを備えること
を特徴とする色調採得支援システム。
【発明の詳細な説明】
【技術分野】
【０００１】
本発明は歯科医師が歯科技工所に対して歯科用補綴物の製作を依頼する際に行う色調採得を支援する色調採得支援装置、色調採得支援プログラム、色調採得支援方法、及び色調採得支援システムに関するものである。
【背景技術】
【０００２】
歯科医師から歯科技工所への前装冠等の歯科用補綴物の製作を依頼するに当り、歯科医師は千差万別の患者の歯の色味を歯科技工所に伝達するため、シェードガイドと呼ばれる歯の色見本と、患者の歯の色味とを比較判定する作業を行っている（例えば、特許文献１参照）。
【０００３】
しかし、色見本の情報だけでは個人差による患者の色調情報を伝達するには不十分であり、実際には、歯科医師はシェードガイドと患者の歯（口腔内）とを同時に撮影した写真を歯科技工所に対し送付することによって、患者の歯の色味を伝達している。この写真撮影による歯の色味の情報化は「色調採得」と呼ばれ、正確な色味を有する歯科用技工物の製作には欠かせない情報となっている。
【０００４】
一般的に、歯科医師（歯科医院）から歯科技工所（歯科技工所）への写真の送付は、１）デジタルカメラで撮影して得られた画像データをカメラ本体に装着されたＳＤカードやＵＳＢメモリ等の可搬性の記録媒体に記録し、その記録媒体を送付する、２）デジタルカメラで撮影した得られた画像データをパーソナルコンピュータで一旦取り込み、記録媒体に転送後送付する、３）デジタルカメラで撮影して得られた画像データをパーソナルコンピュータで一旦取り込み、電子メールに当該画像データを添付して送付する、といったような煩雑な手順で行われている。
【先行技術文献】
【特許文献】
【０００５】
【特許文献１】特開２００２−９０２２３号公報
【発明の概要】
【発明が解決しようとする課題】
【０００６】
しかしながら、上述した写真の送付を伴う色調採得は、その手順の煩雑さにより、単価が高い「自費診療（非保険適用治療）」でないと行われにくいのが現状である。これに対して単価が安い「保険診療」ではこの手順がスキップされ、例えば、シェードガイドナンバーの○○番に「少し黄みがかっている」といった文書による指示のみとなることが多くなるため、正確な色味を有する歯科用補綴物の製作が困難になるといった問題があった。
【０００７】
本発明はこのような実状に鑑みてなされたものであり、本発明の課題は、写真の撮影から送付に係る色調採得の手順の煩雑さを解消し、正しい色味を有する歯科用補綴物の製作が可能となる環境を支援する色調採得支援装置、色調採得支援プログラム、色調採得支援方法、及び色調採得支援システムを提供することである。
【課題を解決するための手段】
【０００８】
本発明者は、上記課題を解決すべく鋭意検討を重ねた結果、以下の構成からなる解決手段を見出し、本発明を完成するに至った。
【０００９】
すなわち、本発明では、歯科用補綴物の製作を依頼する際の色調採得を支援する色調採得支援装置であって、依頼先の歯科技工所を特定する特定情報を含む依頼情報を入力画面を介して入力する表示入力部と、前記表示入力部を介して入力された前記依頼情報を記憶する記憶部と、患者の口腔内を歯の色見本と共に撮影する撮影部と、公衆回線を介して外部端末装置と通信を行う通信部と、前記記憶部から読み出した前記依頼情報に前記撮影部により撮影された前記患者の口腔内写真を添付し、特定された前記歯科技工所に対して前記通信部を介して送信させる演算部とを備えることを特徴とする色調採得支援装置が提供される。
【００１０】
また、本発明によれば、歯科用補綴物の製作を依頼する際の色調採得を支援する色調採得支援プログラムであって、コンピュータを依頼先の歯科技工所を特定する特定情報を含む依頼情報を入力画面を介して入力する表示入力部と、前記表示入力部を介して入力された前記依頼情報を記憶する記憶部と、患者の口腔内を歯の色見本と共に撮影する撮影部と、公衆回線を介して外部端末装置と通信を行う通信部と、前記記憶部から読み出した前記依頼情報に前記撮影部により撮影された前記患者の口腔内写真を添付し、特定された前記歯科技工所に対して前記通信部を介して送信させる演算部として機能させることを特徴とする色調採得支援プログラムが提供される。
【００１１】
また、本発明によれば、歯科用補綴物の製作を依頼する際の色調採得を支援する色調採得支援方法であって、依頼先の歯科技工所を特定する特定情報を含む依頼情報を入力画面を介して入力する表示入力手順と、前記表示入力手順において入力された前記依頼情報を記憶する記憶手順と、患者の口腔内を歯の色見本と共に撮影する撮影手順と、公衆回線を介して外部端末装置と通信を行う通信手順と、記憶元から読み出した前記依頼情報に前記撮影手順において撮影された前記患者の口腔内写真を添付し、特定された前記歯科技工所に対して前記通信手順において送信させる演算手順とを備えることを特徴とする色調採得支援方法が提供される。
【００１２】
また、本発明によれば、歯科用補綴物の製作を依頼する際の色調採得を支援する色調採得支援システムであって、依頼先の歯科技工所を特定する特定情報を含む依頼情報を入力画面を介して入力する表示入力部と、前記表示入力部を介して入力された前記依頼情報を記憶する記憶部と、患者の口腔内を歯の色見本と共に撮影する撮影部と、公衆回線を介して外部端末装置と通信を行う通信部と、前記記憶部から読み出した前記依頼情報に前記撮影部により撮影された前記患者の口腔内写真を添付し、前記通信手段を介して送信させる第１演算部と、前記通信部を介して送信された前記依頼情報を取得するとともに、取得した前記依頼情報を管理するための識別番号を付する識別番号付与部と、前記識別番号が付与された識別番号付依頼情報を特定された前記歯科技工所に対して送信させる第２演算部とを備えることを特徴とする色調採得支援システムが提供される。
【発明の効果】
【００１３】
本発明によれば、写真の撮影から送付に係る色調採得の手順の煩雑さを解消し、正しい色味を有する歯科用補綴物の製作が可能となる環境を支援する色調採得支援装置、色調採得支援プログラム、色調採得支援方法、及び色調採得支援システムを提供することができる。
【図面の簡単な説明】
【００１４】
【図１】本実施形態に係る色調採得支援装置の機能構成を説明する機能ブロック図である。
【図２】本実施形態に係る色調採得支援画面の構成例の一例を説明する図である。
【図３】本実施形態に係る歯科医院登録画面及び歯科技工所登録画面の構成例の一例を説明する図である。
【図４】本実施形態に係るバナー履歴画面の構成例を説明する図である。
【図５】本実施形態に係る色調採得入力画面の構成例の一例を説明する図である。
【図６】本実施形態に係る色調採得撮影画面及び顔貌撮影画面の構成例の一例を説明する図である。
【図７】本実施形態に係る依頼情報確認画面の構成例の一例を説明する図である。
【図８】本実施形態で作成される電子メールの作成例の一例を説明する図である。
【図９】本実施形態に係る色調採得支援装置の動作を説明するシーケンス図である。
【図１０】本実施形態に係る色調採得支援システムの構成例の一例を説明する図である。
【図１１】本実施形態に係る色調採得支援装置の機能構成を説明する機能ブロック図である。
【図１２】本実施形態に係るサーバ装置の構成例の一例を説明する図である。
【図１３】本実施形態に係る色調採得支援システムの動作を説明するシーケンス図である。
【図１４】本実施形態に係る識別番号付依頼情報記憶部が記憶する識別番号付依頼情報のイメージ図である。
【図１５】本実施形態に係る検索条件入力画面の構成例の一例を説明する図である。
【図１６】本実施形態に係る検索結果表示画面の構成例の一例を説明する図である。
【発明を実施するための形態】
【００１５】
以下、本発明の実施形態について図面を参照して説明する。なお、本発明は以下の記述に限定されるものではなく、本発明の要旨を逸脱しない範囲において適宜変更可能である。なお、本発明において、歯科用補綴物とは、口腔内において装着して用いられる歯冠修復物、有床義歯、欠損歯を補う器具若しくはその一部を構成する部材や治療器具を意味するものとし、具体的には、ブリッジ、クラウン、インプラント上部構造物、インレー、アンレー、ラミネートベニア、義歯、義歯床、歯肉カバー、人体への固定のための係留部材（クラスプやレスト）、各部品を繋げる連結子又はバー等がこれに含まれる。
【００１６】
図１は、本実施形態に係る色調採得支援装置１０の機能構成を説明する機能ブロック図である。本実施形態に係る色調採得支援装置１０としては、カメラ等の撮影手段を備え、外部端末装置との間で情報の送受が可能なスマートフォン、携帯電話、タブレットＰＣ、ＰＤＡ（Personal Digital Assistant）等の携帯通信端末装置を想定しているが、以下で説明する色調採得支援装置１０と同等の機能を奏することが可能な装置構成であれば、その態様に制限はない。
【００１７】
図１に示すように、色調採得支援装置１０は、演算部１１と、表示入力部１３と、撮影部１５と、記憶部１７と、公衆回線２０に接続された通信部１９とを備える。
【００１８】
演算部１１は、表示入力部１３、撮影部１５、記憶部１７、及び通信部１９を制御することで、色調採得支援装置１０の動作全体を統括的に制御する。演算部１１は、記憶部１７に記憶された、オペレーティングシステム、アプリケーションプログラム等を読み出すことで各種処理を実行するＣＰＵ（Central Processing Unit）を中心に構成されている。
【００１９】
表示入力部１３は、例えば、ＬＣＤ（Liquid Crystal Display）や有機ＥＬ（Electro Luminescence）等から構成され、演算部１０１による制御に基づき所定の可視情報を表示する表示部と、表示部に表示された可視情報（例えば、後述する色調採得支援画面）に対してユーザにより入力される文字情報の入力を受付ける、タッチパネル等の入力部とを備える。
【００２０】
撮影部１５は、一般的な携帯通信端末装置が備えるカメラ等の撮影手段を用いることができる。撮影部１５は、少なくともレンズ・ＡＦ（Autofocus）ユニット、ＣＣＤ（Charge-Coupled Device）イメージセンサ、ＣＭＯＳ（Complementary Metal-Oxide-Semiconductor）イメージセンサ等の撮像素子、及びフラッシュＯＮ／ＯＦＦ機能のための光源を備え、撮影した画像に基く画像データを生成することができる。
【００２１】
記憶部１７は、例えば、ＲＡＭ（Random Access Memory）、フラッシュメモリ（フラッシュＲＯＭ）等の内蔵型記憶装置や、ＭｉｃｏｒｏＳＤカード等の装置本体に対して着脱可能な外部記憶装置等から構成されている。
【００２２】
通信部１９は、３Ｇ、４Ｇ（ＬＴＥ（Long Term Evolution））等の通信規格に準じ、公衆回線２０として携帯電話回線を用いる通信モジュールや、無線（Ｗｉ−ｆｉ）といった公衆回線２０としてネットワーク回線を用いる通信モジュールを備える。なお、通信部１９には、Ｂｌｕｅｔｏｏｔｈ（登録商標）、ＮＦＣ（Near field Communication）等の近距離通信機能を含めてもよく、図示せぬ内蔵アンテナを介して公衆回線２０や近距離に位置する外部端末装置との通信が可能であればその態様に制限はない。
【００２３】
図２は、本実施形態に係る色調採得支援画面の構成例の一例を説明する図である。色調採得支援画面１００は、演算部１１が本実施形態に係る色調採得支援プログラムを記憶部１７から読み出して実行することにより、表示入力部１３を介して表示される入力支援画面である。
【００２４】
色調採得支援画面１００は、色調採得開始ボタン１０１と、歯科医院登録ボタン１０３と、歯科技工所登録ボタン１０５と、履歴ボタン１０７と、設定ボタン１０９と、使い方を見るボタン１１１と、バナーお気に入りボタン１１３とを備える。
【００２５】
色調採得開始ボタン１０１は、色調採得の開始を受付ける入力ボタンであり、色調採得開始ボタン１０１の押下を受けて、後述する色調採得入力画面が表示される。
【００２６】
歯科医院登録ボタン１０３は、歯科用補綴物製作の依頼元である歯科医院の事前登録を受付ける入力ボタンであり、歯科医院登録ボタン１０３の押下を受けて、図３（ａ）で示す歯科医院登録画面１０３０が表示される。ここで、図３（ａ）で示す歯科医院登録画面１０３０は、実際に患者を診察し、歯科用技工物の製作を発注する歯科医師が自身の歯科医院情報を登録するために用いる画面である。歯科医院登録画面１０３０は、歯科医院名登録ボックス１０３１と、歯科医師名登録ボックス１０３３と、住所登録ボックス１０３５と、電話番号登録ボックス１０３７と、電子メールアドレス登録ボックス１０３９とを有し、これらの登録ボックスへ入力された情報は、登録ボタン１０４１の押下を受けて、記憶部１７に記憶される。なお、これらの登録ボックスへの入力は、全ての項目が必須ではなく、例えば、歯科医院名並び電子メールアドレスのみを入力必須とし、その他の項目は任意入力とすることも可能である。
【００２７】
歯科技工所登録ボタン１０５は、歯科用補綴物製作の依頼先である歯科技工所の事前登録を受付ける入力ボタンであり、歯科技工所登録ボタン１０５の押下を受けて、図３（ｂ）で示す歯科技工所登録画面１０５０が表示される。ここで、図３（ｂ）で示す歯科技工所登録画面１０５０は、歯科用補綴物の製作を発注する歯科医師が発注先の歯科技工所情報を登録するために用いる画面である。歯科技工所登録画面１０５０は、歯科技工所名登録ボックス１０５１と、歯科技工士名登録ボックス１０５３と、住所登録ボックス１０５５と、電話番号登録ボックス１０５７と、電子メールアドレス登録ボックス１０５９とを有し、これらの登録ボックスへ入力された情報は、登録ボタン１０５１の押下を受けて、記憶部１７に記憶される。なお、これらの登録ボックスへの入力は、全ての項目が必須ではなく、例えば、歯科技工所名並び電子メールアドレスのみを入力必須とし、その他の項目は任意入力とすることも可能である。
【００２８】
履歴ボタン１０７は、過去に行った色調採得の履歴表示の実行を受付ける入力ボタンである。設定ボタン１０９は、色調採得支援画面１００の各種入力ボタンの表示順序や、表示サイズ、表示色、フォントといった表示設定に係る情報の表示、入力を受付ける入力ボタンである。使い方を見るボタン１１１は、所謂、ヘルプボタンであり、色調採得支援画面１００の使用方法に関する情報表示の実行を受付ける入力ボタンである。
【００２９】
バナーお気に入りボタン１１３は、図４（ａ）に示すバナー履歴画面１１３０の表示の実行を受付ける入力ボタンである。図４（ａ）に示すバナー履歴画面１１３０は、各テキストを選択することにより、図４（ｂ）に示すようなリンク先１１３１を色調採得支援画面１００上部に表示させることができる。例えば、表示させるリンク先を歯科材料等の企業から有償・無償にて募集することにより、本実施形態に係る色調採得支援画面１００は広告媒体としても機能させることも可能である。
【００３０】
図５は、色調採得開始ボタン１０１の押下を受けて、表示入力部１３を介して表示される色調採得入力画面２００の構成例の一例を説明する図である。
【００３１】
色調採得入力画面２００は、歯科医院名入力ボックス２０１と、歯科医師名入力ボックス２０５と、歯科技工所名入力ボックス２０７と、歯科技工士名入力ボックス２０９と、日付入力ボックス２１１と、患者氏名入力ボックス２１３と、患者性別選択ラジオボタン２１５と、シェード指定プルダウンメニュー２１７と、特記事項入力ボックス２１９と、決定ボタン２２０と、参照ボタン２０３とを備える。
【００３２】
歯科医院名入力ボックス２０１は、歯科用補綴物の製作の依頼元情報である歯科医院名の入力を受付ける入力ボックスである。歯科医院名入力ボックス２０１には、通常のテキスト入力での入力も可能であるし、歯科医院登録画面１０３０を介して事前登録した歯科医院名を参照ボタン２０３の押下により参照することで選択指定することもできる。この場合、事前登録された歯科医院名に付随する歯科医師名を歯科医師名入力ボックス２０５に自動入力する形態とすることも可能である。
【００３３】
歯科医師名入力ボックス２０５は、歯科用補綴物の製作の依頼元情報である歯科医士名の入力を受付ける入力ボックスである。歯科医士名入力ボックス２０５には、通常のテキスト入力での入力も可能であるし、歯科医院登録画面１０３０を介して事前登録した歯科医士名を参照ボタン２０３の押下により参照することで選択指定することもできる。この場合、事前登録された歯科医士名に付随する歯科医院名を歯科医院名入力ボックス２０１に自動入力する形態とすることも可能である。
【００３４】
歯科技工所名入力ボックス２０７は、歯科用補綴物の製作の依頼先情報である歯科技工所名の入力を受付ける入力ボックスである。歯科技工所名入力ボックス２０７には、通常のテキスト入力での入力も可能であるし、歯科技工所登録画面１０５０を介して事前登録した歯科技工所名を参照ボタン２０３の押下により参照することで選択指定することもできる。この場合、事前登録された歯科技工所名に付随する歯科技工士名を歯科技工士名入力ボックス２０９に自動入力する形態とすることも可能である。
【００３５】
歯科技工士名入力ボックス２０９は、歯科用補綴物の製作の依頼先情報である歯科技工士名の入力を受付ける入力ボックスである。歯科技工士名入力ボックス２０９には、通常のテキスト入力での入力も可能であるし、歯科技工所登録画面１０５０を介して事前登録した歯科技工士名を参照ボタン２０３の押下により参照することで選択指定することもできる。この場合、事前登録された歯科技工士名に付随する歯科技工所名を歯科技工所名入力ボックス２０７に自動入力する形態とすることも可能である。
【００３６】
日付入力ボックス２１１は、歯科用補綴物の製作を依頼する日付（色調採得を実行する日付）の入力を受付ける入力ボックスである。患者氏名入力ボックス２１３は、歯科医師が診察を行った患者氏名の入力を受付ける入力ボックスである。患者性別選択ラジオボタン２１５は患者の性別入力に用いられるラジオボタンである。
【００３７】
シェード指定プルダウンメニュー２１７は、診察、問診により決定した歯科用補綴物のシェードガイドナンバーの選択を受付ける。シェード指定プルダウンメニュー２１７は、歯の白さの指標となる色味を段階的に明るさで並べたシェードガイド（例えば、Ａ１，Ａ２，Ａ３，Ａ３．５，Ａ４，Ｂ１，Ｂ２，Ｂ３，Ｂ４，Ｃ１，Ｃ２，Ｃ３，Ｃ４，Ｄ２，Ｄ３，Ｄ４）のガイドナンバーがプルダウン形式に表示、選択が可能となるように構成されている。
【００３８】
特記事項入力ボックス２１９は、歯科用補綴物の製作の依頼に当り、製作上の注意事項、納期、希望事項等の入力を受付ける入力ボックスである。
【００３９】
決定ボタン２２０は、色調採得入力画面２００に入力した内容の決定を受付ける入力ボタンである。決定ボタン２２０の押下に伴い、色調採得入力画面２００の歯科医院名入力ボックス２０１、歯科医師名入力ボックス２０５、歯科技工所名入力ボックス２０７、歯科技工士名入力ボックス２０９、日付入力ボックス２１１、患者氏名入力ボックス２１３、患者性別選択ラジオボタン２１５、シェード指定プルダウンメニュー２１７、及び特記事項入力ボックス２１９を介して入力又は選択された事項は、記憶部１７に依頼情報として記憶される。記憶されたこれらの依頼情報は、後述する歯科用補綴物の製作依頼時に記憶部１７から読み出され、依頼先の歯科技工所を特定する特定情報として用いられる他に、歯科用補綴物の製作に係る依頼情報として後述する電子メールに記述される。
【００４０】
図６（ａ）は、決定ボタン２００の押下を受けて、表示入力部１３を介して表示される色調採得撮影画面３００の構成例の一例を説明する図であり、図６（ｂ）は、決定ボタン２００の押下を受けて、表示入力部１３を介して表示される顔貌撮影画面３１０の構成例の一例を説明する図である。
【００４１】
図６（ａ）に示す色調採得撮影画面３００には、患者の口腔内の撮影予定画像（プレビュー画像）に対して色の基準となる歯（基準歯と称することがある）とガイドナンバーを含むシェードガイドとが所定の撮影位置となるようにガイドする基準歯ガイドライン３０１とシェードガイドライン３０３とがそれぞれ合成されて写し出される。撮影者である歯科医師は、基準歯及びシェードガイドの外形を模ったそれぞれのガイドラインに基準歯及びシェードガイドが位置するように、撮影位置を調整し、シャッタボタン３０５を押下することで、色調採得画像を得ることができる。得られた色調採得画像は画像データとして記憶部１７に記憶される。なお、色調採得画像の撮影時には、フラッシュのＯＮ／ＯＦＦのそれぞれの条件下で撮影を行うことが好ましく、これにより色味の補足を行うことができる。
【００４２】
図６（ｂ）に示す顔貌撮影画面３１０には、患者の顔の撮影予定画像（プレビュー画像）に対して、患者の顔貌（の外形）を模った顔貌ガイドライン３１１が合成されて写し出される。撮影者である歯科医師は、患者の顔貌が顔貌ガイドライン３１１に位置するように、撮影位置を調整し、シャッタボタン３１３を押下することで、顔貌画像を得ることができる。得られた顔貌画像は画像データとして記憶部１７に記憶される。なお、顔貌撮影時には、患者の顔貌における口腔内の様子が把握できるように、患者の口を開口させた状態で撮影することが望ましく、顔貌ガイドライン３１１には、患者の口が開口した状態を表した口部ガイドライン３１５も設けられている。
【００４３】
なお、撮影により得られた色調採得画像及び顔貌画像は図７に示す依頼情報確認画面４００で確認することができる。依頼情報確認画面４００は、フラッシュのＯＮ／ＯＦＦのそれぞれの条件下における色調採得画像の撮影及び顔貌画像の撮影が完了した時点で表示入力部１３を介して表示される画面である。依頼情報確認画面４００は、フラッシュＯＦＦの条件で撮影して得られた色調採得画像を表示する色調採得画像表示画面４０１と、フラッシュＯＮの条件下で撮影して得られた色調採得画面を表示する色調採得画像表示画面４０３と、顔貌画像を表示する顔貌画像表示画面４０５と、色調採得入力画面２００を介して入力され、記憶部１７に記憶された依頼情報を抜粋した情報である通信情報を表示する通信情報表示ボックス４０７と、撮影を継続する場合に押下する撮影を続けるボタン４０９と、撮影済みの画像から依頼情報に添付して送信する色調採得画像又は顔貌画像を選択する場合に押下する写真選択ボタン４１１と、依頼情報を電子メールに記述し、選択決定した色調採得画像及び顔貌画像を当該電子メールに添付して送信するときに押下する電子メールボタン４１３と、依頼情報確認画面４００に表示された表示内容を印刷する場合に押下する印刷ボタン４１５と、表示入力部１３を介して表示される表示画面を色調採得支援画面１００に戻すときに押下するメイン画面ボタン４１７とを備える。
【００４４】
歯科用補綴物の製作を依頼する歯科医師は、依頼情報確認画面４００を参照し、歯科技工所に対して送付する依頼情報、色調採得画像、及び顔貌画像の確認を行った後、電子メールボタン４１３を押下する。これにより、歯科技工所に対して送信される電子メールが作成される。
【００４５】
図８は、電子メールボタン４１３の押下を受けて作成される電子メールの作成例の一例を説明する図である。電子メール５００は、携帯通信端末装置において一般的に用いられる電子メール作成プログラムが作成する電子メールに準じて構成することができ、電子メールの送信先である歯科技工所の電子メールアドレスを表示する表示領域５０１と、依頼情報（色調採得情報）を送る旨を示す表題領域５０３と、依頼情報を表示する依頼情報表示領域５０５と、色調採得画像及び顔貌画像を添付する画像添付領域５０７とを備える。このようにして作成された電子メールは歯科用補綴物の製作の依頼先である歯科技工所へ送信される。
【００４６】
次に、本実施形態に係る色調採得支援装置１０の動作について図９のシーケンス図を用いて説明する。色調採得支援装置１０は、歯科医師（又はスタッフ）により色調採得支援プログラムの起動を受けて、演算部１１が記憶部１７に記憶された色調採得支援プログラムを読み込み、表示入力部１３、撮影部１５、通信部１９を制御することによりその機能を実現するものとし、歯科用補綴物の製作の依頼を歯科技工所（士）が使用する外部端末装置に対して行うものとして説明する。なお、色調採得支援プログラムは、所定のダウンロードサイトからのダウンロードや、可搬性の記録媒体から装置内にインストールすることで導入することができる。
【００４７】
まず、ステップＳ１００において、歯科医師（又はスタッフ）により色調採得支援プログラムが起動されると、演算部１１は色調採得支援プログラムを読み込み、表示入力部１３を介して色調採得支援画面１００を表示させる（ステップＳ１０１）。
【００４８】
色調採得支援画面１００が表示されると、歯科医師は色調採得を開始する場合には、色調採得開始ボタン１０１を押下する（ステップＳ１０２）。なお、歯科医師は色調採得を開始しない場合、すなわち、自身の歯科医院や、依頼先の歯科技工所に関する情報を事前登録する場合には、歯科医院登録ボタン１０３、歯科技工所登録ボタン１０５等を押下し、図３（ａ）、（ｂ）等で示した歯科医院登録画面１０３０や、歯科技工所登録画面１０５０を介してこれらの情報の入力を進める。
【００４９】
ステップＳ１０２において、色調採得開始ボタン１０１が押下されると、演算部１１は、表示入力部１３を介して色調採得入力画面２００を表示させる（ステップＳ１０３）。
【００５０】
そして、歯科医師は、色調採得入力画面２００を介して、歯科医院名、歯科医師名、歯科技工所、歯科技工士名、日付、患者名、性別、シェードガイドナンバー、特記事項等を依頼情報として入力又は選択する（ステップＳ１０４）。ステップＳ１０５において、演算部１１は、歯科医師により入力又は選択された依頼情報を記憶部１７に記憶させる。
【００５１】
依頼情報の入力が完了すると、歯科医師は決定ボタン２２０を押下する（ステップＳ１０６）。決定ボタン２２０の押下を受けて、演算部１１は表示入力部１３を介して色調採得撮影画面３００を表示させる（ステップＳ１０７）。歯科医師は、基準歯及びシェードガイドの外形を模ったそれぞれのガイドラインに基準歯及びシェードガイドが位置するように、撮影位置を調整し、シャッタボタン３０５を押下することで、色調採得画像を撮影する。同様に、歯科医師は、患者の顔貌が顔貌ガイドライン３１１に位置するように、撮影位置を調整し、シャッタボタン３１３を押下することで、顔貌画像を撮影する（ステップＳ１０８）。
【００５２】
ステップＳ１０９において、演算部１１は得られた色調採得画像及び顔貌画像をそれぞれ画像データとして記憶部１７に記憶させる。そして、演算部１１は、記憶部１７に記憶された依頼情報、色調採得画像及び顔貌画像の画像データを読み出し、表示入力部１３を介して依頼情報確認画面４００を表示させる（ステップＳ１１０）。
【００５３】
そして、歯科医師は、依頼情報確認画面４００を参照し、歯科技工所（外部端末装置）に対して送付する依頼情報、色調採得画像、及び顔貌画像の確認を行った後、電子メールボタン４１３を押下する（ステップＳ１１１）。
【００５４】
電子メールボタン４１３が押下されると、演算部１１は、依頼情報から歯科用補綴物の製作の依頼先の歯科技工所（外部端末装置）を特定する特定情報（特に、電子メールアドレス）を抽出し、これを送信先アドレスとする電子メールを作成する。加えて、演算部１１は作成した電子メール本文部分に依頼情報を記述するとともに、色調採得画像及び顔貌画像を添付し、電子メールを完成させる（ステップＳ１１２）。そして、演算部１１は通信部１９を制御し、公衆回線２０を介して作成した電子メールを歯科技工所（外部端末装置）に送信させ、一連の動作を終了する（ステップＳ１１３）。ステップＳ１１４において、電子メールを受信した歯科技工所（外部端末装置）は、電子メールに記述された依頼内容、添付された色調採得画像及び顔貌画像に基き、歯科用補綴物の製作を行う。
【００５５】
このように、本実施形態に係る色調採得支援装置、色調採得支援プログラム、又は色調採得支援方法によれば、写真の撮影から送付に係る色調採得の手順の煩雑さを解消し、正しい色味を有する歯科用補綴物の製作が可能となる環境を支援することができる。
【００５６】
次に、本実施形態に係る色調採得支援システムについて説明する。図１０は、本実施形態に係る色調採得支援システム５０の構成例の一例を説明する図である。色調採得支援システム５０は、複数の色調採得支援装置１０’と、複数の歯科技工所（士）が使用する外部端末装置４０とが公衆回線２０を介して接続されることにより構成されている。なお、ここで説明する公衆回線２０は電話回線、ネットワーク回線等を想定しており、当該公衆回線２０には、複数の色調採得支援装置１０’と複数の外部端末装置４０との間において情報の送受が可能となるように構成されたサーバ装置３０が接続されている。
【００５７】
色調採得支援装置１０’は、図１１に示すように、演算部１１に代えて第１演算部１１’を備える以外は、先に説明した色調採得支援装置１０と同一の構成とすることができる。第１演算部１１’は、表示入力部１３、撮影部１５、記憶部１７、及び通信部１９を制御することで、色調採得支援装置１０’の動作全体を統括的に制御する。演算部１１’は、記憶部１７に記憶された、オペレーティングシステム、アプリケーションプログラム等を読み出すことで各種処理を実行するＣＰＵを中心に構成されている。
【００５８】
図１２は、本実施形態に係るサーバ装置３０の構成例の一例を説明する図である。サーバ装置３０は、第２演算部３２と、表示部３３と、操作部３４と、サーバ記憶部３５と、サーバ通信部３６と、コンテンツ提供部３７とを備える。
【００５９】
第２演算部３２は、表示部３３、操作部３４、サーバ記憶部３５、サーバ通信部３６、及びコンテンツ提供部３７を制御することで、サーバ装置３０の動作全体を統括的に制御する。第２演算部３２は、サーバ記憶部３５に記憶された、オペレーティングシステム、アプリケーションプログラム等を読み出すことで各種処理を実行するＣＰＵを中心に構成されている。第２演算部３２は、色調採得支援装置１０’から送信された依頼情報を取得し、これを識別・管理する識別番号を付与する識別番号付与部３２１を備える。
【００６０】
表示部３３は、例えば、ＬＣＤ等で構成された情報表示装置であり、所定の可視情報である装置情報や、操作部３４を介して入力された操作情報等を表示する。操作部３４は、例えば、キーボード、マウス、テンキーといった情報入力装置であり、表示部３３を介して表示された装置情報や、操作情報に対して必要な情報の入力を受付ける。
【００６１】
サーバ記憶部３５は、例えば、ＨＤＤ（Hard Disk Drive）、ＳＳＤ（Solid State Drive）、ＲＯＭ（Read Only Memory）、ＲＡＭ等の内蔵型又は外付け型の記憶装置として構成されている。サーバ記憶部３５は、演算部３２の識別番号付与部３２１により識別番号が付与された依頼情報（以下、識別番号付依頼情報と称する）を記憶する識別番号付依頼情報記憶部３５１を備える。
【００６２】
サーバ通信部３６は、３Ｇ、４Ｇ（ＬＴＥ）等の通信規格に準じた携帯電話回線、固定電話回線を用いる通信モジュールや、有線、無線（Ｗｉ−ｆｉ）といったネットワーク回線を用いる通信モジュールを備え、公衆回線２０を介して複数の色調採得支援装置１０’と複数の外部端末装置４０との間において情報の送受が可能となるように構成されている。
【００６３】
コンテンツ提供部３７は、例えば、後述する検索条件入力画面や検索結果表示画面等の表示コンテンツを提供する。なお、コンテンツ提供部３７は、サーバ記憶部３５と同様に記憶装置として構成することもできるし、サーバ記憶部３５内に設けることも可能である。
【００６４】
外部端末装置４０は、歯科技工所（士）が使用する端末装置である。外部端末装置４０は、色調採得支援装置１０’と同様に携帯端末通信装置として構成することも可能であるし、一般的なデスクトップ型、ノート型のパーソナルコンピュータとして構成することも可能である。外部端末装置４０は、公衆回線２０を介して色調採得支援装置１０’、サーバ装置３０との間で電子メール、ブラウザプログラム等を用いての情報の送受が可能であれば、その構成に制限はない。
【００６５】
次に、本実施形態に係る色調採得支援システム５０の動作について、図１３のシーケンス図、及び図１４の識別番号付依頼情報記憶部３５１が記憶する識別番号付依頼情報のイメージ図を用いて説明する。なお、図１３において、ステップＳ１１１に係るまでの歯科医師（又はスタッフ）及び色調採得支援装置１０’に係る動作は、図９のシーケンス図で説明した動作と同一に行うことができるため、ここでの説明は省略する。
【００６６】
ステップＳ１１１において、歯科医師は、依頼情報確認画面４００を参照し、歯科技工所に対して送付する依頼情報、色調採得画像、及び顔貌画像の確認を行った後、電子メールボタン４１３を押下する。すると、色調採得支援装置１０’の第１演算部１１’は、依頼情報から歯科用補綴物の製作の依頼先の歯科技工所（外部端末装置）を特定する特定情報（特に、電子メールアドレス）を抽出する一方で、サーバ装置３０を送信先アドレスとする電子メールを作成する。加えて、第１演算部１１’は作成した電子メール本文部分に依頼情報を記述するとともに、色調採得画像及び顔貌画像を添付し、電子メールを完成させる（ステップＳ１１２’）。そして、第１演算部１１’は通信部１９を制御し、公衆回線２０を介して作成した電子メールをサーバ装置３０に送信させ、一連の動作を終了する（ステップＳ１１３’）。
【００６７】
ステップＳ１１５において、電子メールを受信すると、サーバ装置３０の第２演算部３２の識別番号付与部３２１は、電子メール本文部分に記述された依頼情報を取得するとともに、これらの依頼情報を識別・管理するための識別番号（ＩＤ）を付与する（ステップＳ１１６）。
【００６８】
そして、第２演算部３２は、ステップＳ１１７において、識別番号付与部３２１により識別番号が付与された識別番号付依頼情報をサーバ記憶部３５の識別番号付依頼情報記憶部３５１に記憶させる（ステップＳ１１７）。
【００６９】
ここで、識別番号付依頼情報記憶部３５１が記憶する識別番号付依頼情報について図１４のイメージ図を用いて説明する。図１４に示されるように、識別番号付依頼情報６００は、識別番号であるＩＤ６０１と、依頼情報Ｎｏ６０２と、歯科医院名６０３と、歯科技工所名６０４と、取扱日時６０５と、依頼内容６０６と、添付画像（１）６０７と、添付画像（２）６０８とから構成されている。ＩＤ６０１は、各依頼情報を一義的に識別するための識別番号である。依頼情報Ｎｏは、依頼情報を作成・送信した歯科医院ごとに割り振られる通し番号である。歯科医院名６０３は、歯科用補綴物製作の依頼元である歯科医院の名称であり、歯科技工所名６０４は、歯科用補綴物製作の依頼先の歯科技工所の名称である。取扱日時６０５は、歯科用補綴物の製作を依頼した日付であり、依頼内容６０６は、電子メール本文部分に記述された依頼情報を抜粋したものをテキスト化した情報である。添付画像（１）６０７は、添付された色調採得画像の画像データであり、添付画像（２）６０８は添付された顔貌画像の画像データである。識別番号付依頼情報記憶部３５１が記憶する識別番号付依頼情報６００は、後述する検索条件入力画面を介した検索条件の入力により所定の検索結果が得られるようにデータベース化されている。
【００７０】
識別番号付依頼情報６００が識別番号付依頼情報記憶部３５１に記憶されると、第２演算部３２は、歯科用補綴物製作の依頼先の歯科技工所（外部端末装置４０）の電子メールアドレスを送信先アドレスとし、識別番号が付与された識別番号付依頼情報６００を本文内容とする電子メールを作成し（ステップＳ１１８）、これを送信する（ステップＳ１１９）。ステップＳ１１４’において、電子メールを受信した歯科技工所（外部端末装置４０）は、電子メールに記述された依頼内容、添付された色調採得画像及び顔貌画像に基き、歯科用補綴物の製作を行う。
【００７１】
本実施形態に係る色調採得支援システム５０では、識別番号が付与された依頼情報が歯科技工所（外部端末装置４０）に配信されるため、将来保険導入が実現された場合には、保険請求の不正請求を防止することが出来るとともに、保険請求に係る写真の印刷等を省略することが可能となることが期待される。
【００７２】
前述したように、本実施形態に係る色調採得支援システム５０では、識別番号付依頼情報記憶部３５１が記憶する識別番号付依頼情報６００は、図１５で示す検索条件入力画面７００を介しての検索が可能となるようにデータベース化されているため、依頼情報の検索を容易に行うことができる。検索条件入力画面７００は、例えば、ＩＤ入力ボックス７０１、依頼情報Ｎｏ入力ボックス７０２、歯科医院名入力ボックス７０３、歯科技工所名入力ボックス７０４、取扱日時入力ボックス７０５、患者名入力ボックス７０６、及び検索ボタン７０７等を具備し、これらの入力ボックスに入力された検索キーワードに基づき識別番号付依頼情報記憶部３５１内を検索することができる。検索キーワードに合致する識別番号付依頼情報６００が存在する場合、例えば、図１６に示すような、検索結果件数８０１、検索結果一覧８０２を有する検索結果表示画面８００を介して表示させることができる。なお、検索条件入力画面７００や検索結果表示画面８００といった表示画面は、Ｗｅｂブラウザを介して表示させることも可能である。この場合、これらのＷｅｂページを含むＷｅｂプログラムをサーバ装置３０のコンテンツ提供部３７に収納しておき、Ｗｅｂブラウザを介した応答要求に応じて検索条件入力画面７００や検索結果表示画面８００を表示させればよい。ところで、本実施形態において、検索条件入力画面７００を介しての検索は、サーバ装置３０の管理者が保険不正請求の確認のため、公的期間からの依頼に応じて行うことが想定されるが、この場合、第三者による不正利用を防止するため、例えば、サーバ装置管理者名（ＩＤ）とパスワードとの入力によるログイン画面等を別途設けることが好ましい。無論、色調採得支援システム５０を利用する歯科医院や歯科用技工物の製作を請け負う歯科技工所が依頼内容を確認する上で検索条件入力画面７００を介しての検索を行うことができることは言うまでもない。
【００７３】
また、本実施形態に係る色調採得支援システムにおいては、色調採得支援画面１００、色調採得入力画面２００及びこれらに付随する各入力画面をサーバ装置３０が提供するＷｅｂページとして構成する形態も可能である。さらに、例えば、サーバ装置３０は複数の歯科技工所が有するスキル情報（製作可能な歯科用補綴物）を予め登録するものとし、受信した依頼内容に応じた歯科用補綴物の製作可能な歯科技工所に対してのみ依頼内容が記述された電子メールを送信する、所謂、マッチング機能を設けることも可能である。これにより、例えば、歯科医師が要求する程度の歯科用補綴物を製作可能な歯科技工所を事前に知らなくとも、歯科用補綴物の製作を依頼することができる。
【００７４】
以上のように、本実施形態に係る色調採得支援システムによれば、写真の撮影から送付に係る色調採得の手順の煩雑さを解消し、正しい色味を有する歯科用補綴物の製作が可能となる環境を支援することができる。
【００７５】
なお、本発明の説明において、依頼情報やこれに添付される画像（データ）の送受信方法として電子メールを一例として挙げたが、本発明はこれに限定されるものではなく、例えば、コミュニケーション機能、電子掲示板機能、又は画像・動画共有機能等を備えたソーシャル・ネットワーキング・サービス等を介して依頼情報や画像（データ）を送受信することも可能である。
【符号の説明】
【００７６】
１０，１０’  色調採得支援装置、１１  演算部、１１’  第１演算部１３  表示入力部、１５  撮影部、１７  記憶部、１９  通信部、２０  公衆回線  、３０  サーバ装置、３２  第２演算部、３３  表示部、３４  操作部、３５  サーバ記憶部、３６  サーバ通信部、３７  コンテンツ提供部、４０  外部端末装置、５０  色調採得支援システム１００  色調採得支援画面、２００  色調採得入力画面、３００  色調採得撮影画面、３１０  顔貌撮影画面、３２１  識別番号付与部、３５１  識別番号付依頼情報記憶部、４００  依頼情報確認画面、５００  電子メール、６００  識別番号付依頼情報、７００  検索条件入力画面、８００  検索結果表示画面
【図１】
2020025612.tif 000003
【図２】
2020025612.tif 000004
【図３】
2020025612.tif 000005
【図４】
2020025612.tif 000006
【図５】
2020025612.tif 000007
【図６】
2020025612.tif 000008
【図７】
2020025612.tif 000009
【図８】
2020025612.tif 000010
【図９】
2020025612.tif 000011
【図１０】
2020025612.tif 000012
【図１１】
2020025612.tif 000013
【図１２】
2020025612.tif 000014
【図１３】
2020025612.tif 000015
【図１４】
2020025612.tif 000016
【図１５】
2020025612.tif 000017
【図１６】
2020025612.tif 000018